(57)【特許請求の範囲】
【請求項１】
可撓性シートから成る筒状のコンテナ本体の下部開口部に底蓋を設けたコンテナに於いて、
上記底蓋は一側下方向を開くための解放部を有し、該解放部側と反対側の一側端部を前記コンテナ本体の下端部に縫着し、且つ、該底蓋の左右に連設される両側片は前記縫着部を頂点とする略三角形状又は略扇形状に形成され、且つ、該底蓋に係留ベルトを止着し、該係留ベルトを前記コンテナ本体に止着されている吊りベルトに係留して前記底蓋をコンテナ本体の下部開口部を閉塞できるように構成し、
更に、上記底蓋には前記解放部側をコンテナ本体の下部開口部より前方へ延設した延長部を設け、該延長部を前記底蓋の前端縁に沿って上方に折曲してコンテナ胴部に当接するように構成するとともに、コンテナ本体の下部開口部の口縁であって、且つ前記底蓋の解放部側の口縁に前記底蓋の両側片の内側に設けられるように構成した略方形の中底蓋の長手方向一端部を逢着したことを特徴とするコンテナ。
【発明の詳細な説明】
【０００１】
【発明の属する技術分野】
この本発明はコンテナに関するものであり、特に、ポリプロピレン繊維シート等から成る軽量な可撓性シートにて形成されたコンテナに関するものである。
【０００２】
【従来の技術】
従来の此種コンテナとして、特公昭４９−１８９６７号公報に記載されたものが知られている。而して、該公報に記載されたコンテナは可撓性シートから成る筒状のコンテナ本体の下縁全周に及んで多数枚の三角片を並設し乍ら夫々の一端を止着し、そして、該三角片の頂点をループ状に形成し、これにロープを挿通して該三角片相互を該ロープで絞ることができるように構成され、更に、該三角片の内側に上下開放の円筒体の上端部を前記コンテナ本体の下縁に止着し、且つ、該円筒体に結縛用のテープを止着して、該テープを結縛することにより該円筒体の下部開口部を閉塞できるように構成され、且つ、該三角片の内側に覆片を止着して成るものである。
【０００３】
【発明が解決しようとする課題】
上記従来例はコンテナ本体内に塩、米ぬか或いは砂糖のような粉体を、該コンテナ本体の上面開口部を介して収容するとき、該コンテナ本体の下方の円筒部がテープによって堅く結縛され、その外側面に前記覆片を被蔽し、更に、前記三角片に挿通されたロープを締付けて該三角片の自由端を中心に集めて絞り、そして、該コンテナ本体の下部開口部を閉塞して該コンテナ本体内に前記収容物を収容し、上面開口部も閉塞して輸送できるように形成されているので、該コンテナ本体が目的に到達し、そして、該コンテナ本体内の収容物を取り出す場合は、該コンテナ本体は該コンテナ本体の側部に設けられている吊手にロープを掛合して該コンテナ本体を吊り下げ、そして、作業者が該コンテナ本体の下方部に位置して前記三角片を絞っているロープを弛緩し、円筒部のテープを解くことによりコンテナ本体の下部開口部が解放され、該コンテナ本体内の収容物が下方に向って自然排出することになる。
【０００４】
このとき、もし、コンテナ本体を吊り下げるための前記ロープが何らかの原因によって切断したときには、該コンテナ本体が不慮落下して下部の作業者を直撃すると云う危険があった。
【０００５】
そこで、収容物を収容しているコンテナ本体を解放して該収容物を取出すとき、コンテナ本体の吊り下げ用のロープ等が何らかの原因により切断され、そして、該コンテナ本体が落下しても、該コンテナ本体の落下時に該コンテナが作業者を直撃するようなことがなく、安全にコンテナ本体の解放作業が実施できるようにするために解決すべき技術的課題が生じてくるのであり、本発明は該課題を解決することを目的とする。
【０００６】
【課題を解決するための手段】
本発明は上記目的を達成するために提案せられたものであり、可撓性シートから成る筒状のコンテナ本体の下部開口部に底蓋を設けたコンテナに於いて、
上記底蓋は一側下方向を開くための解放部を有し、該解放部側と反対側の一側端部を前記コンテナ本体の下端部に縫着し、且つ、該底蓋の左右に連設される両側片は前記縫着部を頂点とする略三角形状又は略扇形状に形成され、且つ、該底蓋に係留ベルトを止着し、該係留ベルトを前記コンテナ本体に止着されている吊りベルトに係留して前記底蓋をコンテナ本体の下部開口部を閉塞できるように構成し、
更に、上記底蓋には前記解放部側をコンテナ本体の下部開口部より前方へ延設した延長部を設け、該延長部を前記底蓋の前端縁に沿って上方に折曲してコンテナ胴部に当接するように構成するとともに、コンテナ本体の下部開口部の口縁であって、且つ前記底蓋の解放部側の口縁に前記底蓋の両側片の内側に設けられるように構成した略方形の中底蓋の長手方向一端部を逢着したコンテナを提供するものである。
【０００７】
【発明の実施の形態】
以下、本発明の一実施の形態を図１乃至図３に従って詳述する。図に於て１はコンテナを示す。該コンテナ１はポリプロピレン繊維シート等から成る可撓性シートにて形成され、上下面開放のコンテナ本体２と、該コンテナ本体２の上部開口部３に設けられた上部蓋体４と、該コンテナ本体２の下部開口部５を閉塞するための底蓋６とから成る。
【０００８】
而して、前記コンテナ本体２の胴部２ａには一対の吊りベルト７，７が、該胴部２ａの前後面に及んで縫着等の手段によって止着されている。又、該コンテナ本体２の上部開口部３に設けられた前記上部蓋体４は上下面開放の筒状体から形成されて、その下端部をコンテナ本体２の上部開口部３の周縁部に止着されており、該上部蓋体４を開放したとき、該開放部位から収容物を投入できるように形成されると共に、収容物が収容された後、該上部蓋体４の前記上面開放部を閉塞するためにロープ４ａを用いて該上部蓋体４の中心部に絞り乍ら該ロープ４ａを結縛して、該上部蓋体４によってコンテナ本体２の上部開口部３を閉塞できるように構成されている。但し、該コンテナ本体２の上部開口部３の前記開放閉塞手段は之に限定せらるべきではなく、他の任意の手段を採択することができる。
【０００９】
而して、コンテナ本体２の下部開口部５に設けられている前記底蓋６は一側方向に解放部８が形成できるように、該底蓋６の該解放部８の反対側の一側端部６ａが前記コンテナ本体２の下端部に縫着等の手段によって止着されており、更に、該底蓋６の左右両側片６ｂ，６ｂを前記止着部、即ち、前記一側端部６ａを頂点とする略三角形状に形成されている。従って、該底蓋６にてコンテナ本体２の下部開口部５を閉塞するときには、該三角形状の左右両側片６ｂ，６ｂは前記頂点から幅方向中心線Ｃに沿って折曲されて折畳まれ乍ら該底蓋６をコンテナ本体２の前記下部開口部５を閉塞できるように構成されている。而して、該底蓋６を閉塞したときには後述の手段等により該閉塞状態が解かれないように形成される。
【００１０】
又、図４に示すように前記底蓋６は、通常前記開放部８側をコンテナ本体２の下部開口部５より前方へ延設した延長部９を設けてある。而して、該底蓋６の外側（図３に於て上面）に係留ベルト１０，１０を止着し、そして、該係留ベルト１０，１０の先端部にフック１１，１１が取り付けられている。一方、コンテナ本体２の胴部２ａに止着されている前記吊りベルト７，７の下端部は可及的に該胴部２ａの下方部に位置するように延設されており、そして、該吊りベルト７，７の下端部に係止リング１２，１２を夫々取り付け、前記底蓋６の左右両側片６ｂ，６ｂを折り畳み乍ら該底蓋６にてコンテナ本体２の下部開口部５を閉塞するとき、該延長部９を該底蓋６の前端縁に沿って上方へ折曲し乍ら該延長部９をコンテナ本体２の前記胴部２ａに当接し、更に、前記係留ベルト１０，１０に設けたフック１１，１１を前記吊りベルト７，７に設けた係止リング１２，１２に係合することにより、該コンテナ本体２の下部開口部５は前記底蓋６によって確実に閉塞されることができる。尚、前記吊りベルト７，７はコンテナ本体２の胴部２ａの両側縁近傍に設けられ、そして、之に対峙する前記係留ベルト１０，１０は前記延長部９の両側縁近傍に設けられている。然るときは、コンテナ本体２内に収容されている収容物の重量が底蓋６に負荷されるとき、前記係留ベルト１０，１０相互間の間隔が大であるため、該底蓋６の中央部位に於て該底蓋６に設けられている前記解放部８が開いて前記収容物が不慮漏洩する虞れがあることも考えられる。そこで、前記左右の吊りベルト７，７間に補助的に、ベルベットファスナー１３の上方部位を止着し、そして、該ベルベットファスナー１３の下方部位１３ａを上方へ折り曲げて該下方部位１３ａを前記ベルベットファスナー１３の上方部位に合着するように形成し、更に、前記延長部９の中央部にも前記ベルベットファスナー１３に対応して先端にリング１４を有するベルト１５を止着し、そして、前記係留ベルト１０，１０と吊りベルト７，７とを係合するとともに、ベルト１５の先端部に設けたリング１４を前記ベルヘツトファスナー１３の略中央部に当接し、そして、該ベルベットファスナー１３の前記下方部位１３ａを該リング１４に通し乍ら、該ベルベットファスナー１３の上方部位へ合着せしめる。斯くして、コンテナ本体２の下部開口部５を底蓋６にて閉塞するとき、該底蓋６はコンテナ本体２の下部開口部５を確実に閉塞し、収容物の漏洩を阻止できるように構成されている。但し、前記係留ベルト１０，１０及び之に対応する吊りベルト７，７との係合のみで底蓋６をコンテナ本体２の下部開口部５を確実に閉塞し、そして、コンテナ１の吊り上げ時に於て収容物の漏洩の虞れがない場合は、前記補助的な手段であるベルベットファスナー１３等は省略されてもよい。又、該ベルベットファスナー１３及び先端部にリング１４を有するベルト１５に代えて他の任意の接合手段を選択してもよい。
【００１１】
又、図に於て１６は中底蓋である。該中底蓋１６は略方形に形成され、そして、その長手方向一端部が、コンテナ本体２の下部開口部５の口縁であって、且つ、前記底蓋６の解放部８側の口縁に縫着等の手段によって取り付けられている。但し、該中底蓋１６は前記底蓋６の左右両側片６ｂ，６ｂの内側部に設けられる。従って、コンテナ本体２内に収容物を収容する際には該中底蓋１６をコンテナ本体２に対する前記縫着部を介して該コンテナ本体２側に折曲し乍ら該コンテナ本体２の下部開口部５を閉塞し、そして、底蓋６の左右両側片６ｂ，６ｂを各中心線Ｃに沿って折り畳み乍ら該底蓋６をコンテナ本体２の下部開口部５を閉塞する。このとき、該底蓋６は前記中底蓋１６の下面に位置することになる。更に、前述したように、前記延長部９を上方へ折曲し、そして、コンテナ本体２の胴部２ａに当接し乍ら、前記係留ベルト１０，１０及びベルト１５を夫々対応する前記吊りベルト７，７及びベルベットファスナー１３に係合することにより、該コンテナ本体２の下部開口部５は確実に閉塞される。そこで、該コンテナ本体２の上部開口部３から収容物を容れ、満杯になった時点で、該コンテナ本体２の上部に設けられている上部蓋体４をロープ４ａ等を用いて堅く締結する。斯くして、例えばじゃが芋のような収容物が収容されたコンテナ１が形成され、目的地まで輸送されることになる。
【００１２】
該コンテナ１が目的地に到達したときには、該コンテナ１内の前記収容物は外部に取り出されるのであるが、該収容物を取り出す際は、作業者が該コンテナ１の前面に立って前記係留ベルト１０，１０、ベルト１５と夫々之等に対応する吊りベルト７，７及びベルベットファスナー１３との係合を解除する。然るときは、コンテナ本体２の下部開口部５を閉塞している底蓋６が収容物の重量によって該底蓋６の解放部８の反対側であって、コンテナ本体２の下端部に縫着されている部位を回動基部として該底蓋６が下方斜め方向へ回動し、解放部８が解放される。
【００１３】
即ち、該底蓋６の左右両側片６ｂ，６ｂの各中心線Ｃを介して折り畳まれている状態から該左右両側片６ｂ，６ｂが拡開され乍ら前記解放部８が解放されることになる。然るときは、該底蓋６は先ず、前記収容物の重量によってその左右両側片６ｂ，６ｂの三角形状の拡開の範囲内に於て該解放部８が解放されることになるので、収容物が緩やかに該解放部８より外部に取り出されることになる。従って、収容物の取り出し時に、該収容物が一挙に外部に排出するようなことがないため、該収容物は極めて安全に取り出されることができる。更に、前述したように、該底蓋６を解放して内容物を取り出す際に於て、前記係留ベルト１０，１０及びベルト１５と夫々対応する前記吊りベルト７，７及びベルベットファスナー１３との係合を解脱する作業は該コンテナ１の下面に於て行われるのではなくその前方に位置して行われるので、吊りベルト７，７が何らかの原因によって切断され、そして、コンテナ１が落下しても、該コンテナ１は作業者を打撃することはない。斯くして、収容物の取り出し作業性が向上することになる。
【００１４】
尚、上記実施の形態に於いては、コンテナ本体２は角形について説明しているが、該コンテナ本体２は円筒形のものを用いることもできる。この場合、前記両側片６ｂ，６ｂは夫々略扇形状に形成される。
【００１５】
又、本発明は、本発明の精神を逸脱しない限り種々の改変を為すことができ、そして、本発明が該改変されたものに及ぶことは当然である。
【００１６】
【発明の効果】
本発明は上記一実施の形態にて詳述したように、コンテナ内の収容物を外部に排出するとき、作業者はコンテナの前方に位置して底蓋及び中底蓋の開放動作を行い、且つ、該底蓋は左右両側片が略三角形状又は略扇形状に形成されているので、この三角形又は扇形の範囲で拡開されるので、コンテナ内の収容物は、当初下方斜め方向に緩やかに落下して取り出されることになり、依って、収容物の取り出し作業は極めて安全に行われて作業性が向上し、特に、じゃが芋、ビート、にんじん等の固体物のコンテナとして好適である等、正に、著大なる効果を奏する発明である。
【図面の簡単な説明】
【図１】本発明の一実施の形態を示し、底蓋の左右両側片を折り畳んでコンテナ本体の下部開口部を閉塞しようとする状態を示すコンテナの斜視図。
【図２】図１の底蓋を開拡した状態を示すコンテナの斜視図。
【図３】図１の底面図。
【図４】図１のコンテナに収容物を収容してコンテナ本体の上下面を閉塞した状態を示すコンテナの斜視図。
【符号の説明】
１        コンテナ
２        コンテナ本体
５        下部開口部
６        底蓋
６ａ      一側端部
６ｂ      左右両側片
７        吊りベルト
８        解放部
９        延長部
１０        係留ベルト
１６        中底蓋
【図１】
0004272314.tif 000002
【図２】
0004272314.tif 000003
【図３】
0004272314.tif 000004
【図４】
0004272314.tif 000005